(57)【要約】【課題】誤った送信先にデータ送信が行われることを防止可能な通信装置を提供すること。【解決手段】分散構成多機能周辺装置１は、ＭＦＰ１０と、外部装置と音声通話を行う子機６０と、子機６０とＭＦＰ１０とを電話回線網１００に中継するＢＯＸ３１を備える。ＣＰＵ３２は、子機６０の音声通話先を特定する相手先電話番号をＲＡＭ３４に記憶する。ＣＰＵ３２は、子機６０で音声通話が行われている期間に、送信データおよび送信データのデータ送信先を特定するＦＡＸ電話番号をＭＦＰ１０から受信することに応じて、相手先電話番号によって特定される音声通話先とＦＡＸ電話番号によって特定されるデータ送信先とが一致するか否かを判断する。ＣＰＵ３２は、両者が一致すると判断される場合に音声通話先に送信データを送信し、両者が一致しないと判断される場合に送信データを発呼待ちジョブに登録する。【選択図】図３
2011077642.tif 000002
【特許請求の範囲】
【請求項１】
少なくとも読取機能を備える多機能通信装置と、
外部の通信網を介して、外部装置と音声通話を行う子機と、
前記子機と前記多機能通信装置とを前記外部の通信網に中継する通信装置において、
前記子機の音声通話先を特定する相手先情報を記憶する相手先情報記憶手段と、
前記子機で音声通話が行われている期間に、送信データおよび前記送信データのデータ送信先を特定する特定情報を、前記多機能通信装置から受信することに応じて、前記相手先情報によって特定される前記音声通話先と前記特定情報によって特定される前記データ送信先とが一致するか否かを判断する判断手段と、
前記判断手段によって前記音声通話先と前記データ送信先とが一致すると判断される場合に、前記データ送信先に前記送信データを送信する第１データ送信手段と、
前記判断手段によって前記音声通話先と前記データ送信先とが一致しないと判断される場合に、前記送信データを記憶するデータ保持手段と
を備えることを特徴とする通信装置。
【請求項２】
前記子機による音声通話が終了することに応じて、前記データ保持手段に保持された前記送信データを前記特定情報によって特定される前記データ送信先へ送信する第２データ送信手段
を備えることを特徴とする請求項１に記載の通信装置。
【請求項３】
前記相手先情報および前記特定情報として電話番号が使用され、
前記特定情報によって特定される前記データ送信先として前記音声通話先が使用され、
前記判断手段は、前記相手先情報によって特定される前記音声通話先と前記特定情報によって特定される前記音声通話先とが一致するか否かを判断する
ことを特徴とする請求項１または請求項２に記載の通信装置。
【請求項４】
子機からの外線接続指示により受信した子機識別情報を記憶する子機識別情報記憶手段を備え、
前記特定情報として複数の前記子機の各々に割り当てられた子機識別情報が使用され、
前記判断手段は、前記子機識別情報記憶手段によって記憶された前記子機識別情報と前記特定情報によって特定された前記子機識別情報とが一致するか否かを判断する
ことを特徴とする請求項１ないし請求項３の何れかに記載の通信装置。
【請求項５】
被呼時において発信元電話番号を取得する電話番号取得手段を備え、
前記相手先情報記憶手段は、前記電話番号取得手段で取得した前記発信元電話番号を前記相手先情報として記憶する
ことを特徴とする請求項１ないし請求項４の何れかに記載の通信装置。
【請求項６】
少なくとも読取機能を備える多機能通信装置と、
外部の通信網に接続され、前記多機能通信装置と前記通信網とのデータ通信を中継する回線制御装置と、
前記回線制御装置と無線接続され、前記通信網とを介して、外部装置と音声通話を行う子機と
を備える通信装置において、
前記回線制御装置は、
前記子機の音声通話先を特定する相手先情報を記憶する相手先情報記憶手段と、
送信データおよび前記送信データのデータ送信先を特定する特定情報を多機能通信装置から受信して蓄積するデータ蓄積手段と、
前記相手先情報によって特定される前記音声通話先と前記特定情報によって特定される前記データ送信先とが一致するか否かを判断する判断手段と、
前記判断手段によって前記音声通話先と前記データ送信先とが一致していると判断された場合に、前記データ蓄積手段に蓄積された前記特定情報のうちから前記音声通話先と関連する前記特定情報を抽出する抽出手段と、
前記抽出手段で抽出された前記特定情報から前記送信データに関する前記送信データリストを作成して前記子機に送信するリスト送信手段と、
前記送信データを送信する旨のデータ送信命令を前記子機から受信することに応じて、前記データ送信先に前記送信データを送信する第１データ送信手段と、
を備え、
前記子機は、
前記リスト送信手段によって送信されてきた前記送信データリストを表示する表示手段と、
前記送信データリストのうちの何れの前記送信データを送信するかの選択を受け付け、選択された前記送信データについての前記データ送信命令を前記回線制御装置へ送信するデータ送信命令送信手段と
を備えることを特徴とする通信装置。
【請求項７】
前記子機は、
前記送信データの一覧である送信データリストを送信する旨のリスト送信命令を前記回線制御装置へ送信するリスト送信命令送信手段を備え、
前記抽出手段は、
前記リスト送信命令を、前記子機で音声通話が行われている期間中に前記子機から受信することに応じて、前記データ蓄積手段に蓄積された前記特定情報を抽出する
ことを特徴とする請求項６に記載の通信装置。
【請求項８】
前記相手先情報および前記特定情報として電話番号が使用され、
前記特定情報によって特定される前記データ送信先として前記音声通話先が使用され、
前記抽出手段は、前記相手先情報によって特定される前記音声通話先と前記特定情報によって特定される前記音声通話先とが一致する前記送信データを抽出する
ことを特徴とする請求項６または請求項７に記載の通信装置。
【発明の詳細な説明】
【技術分野】
【０００１】
本発明は、誤った送信先にデータ送信が行われることを防止可能な通信装置に関するものである。
【背景技術】
【０００２】
特許文献１には、コードレス子機が通話中であるときに、ＭＦＰに設けられているファクシミリ送信開始ボタンを押すと、コードレス子機が通話中の相手先にファクシミリ送信を実行する技術が開示されている。
【先行技術文献】
【特許文献】
【０００３】
【特許文献１】特開２００７−８９０４１号公報
【発明の概要】
【発明が解決しようとする課題】
【０００４】
特許文献１の技術では、ＭＦＰからファクシミリ送信が指示された場合には、コードレス子機で通話中の相手先に必ずファクシミリが送信されてしまう。すると、あるユーザがＭＦＰから離れた場所でコードレス子機を用いて通話している期間中に、別のユーザがＭＦＰを操作して通話中の相手とは別の相手にファクシミリ送信を行おうとする場合には、別のユーザが意図しない相手先にファクシミリが送信されてしまうという不具合が発生する可能性がある。本明細書では、このような不便性を解消することができる技術を提供する。
【課題を解決するための手段】
【０００５】
本目的を達成するために、本発明の通信装置は、少なくとも読取機能を備える多機能通信装置と、外部の通信網を介して、外部装置と音声通話を行う子機と、子機と多機能通信装置とを外部の通信網に中継する通信装置において、子機の音声通話先を特定する相手先情報を記憶する相手先情報記憶手段と、子機で音声通話が行われている期間に、送信データおよび送信データのデータ送信先を特定する特定情報を、多機能通信装置から受信することに応じて、相手先情報によって特定される音声通話先と特定情報によって特定されるデータ送信先とが一致するか否かを判断する判断手段と、判断手段によって音声通話先とデータ送信先とが一致すると判断される場合に、データ送信先に送信データを送信する第１データ送信手段と、判断手段によって音声通話先とデータ送信先とが一致しないと判断される場合に、送信データを記憶するデータ保持手段とを備えることを特徴とする。
【発明の効果】
【０００６】
請求項１記載の通信装置によれば、子機の音声通話中に、多機能通信装置から送信される送信データおよび特定情報が通信装置で受信されると、特定情報に基づいて、子機の音声通話先と送信データのデータ送信先とが一致するか否かが判断される。そして、音声通話先とデータ送信先とが一致すると判断されると、送信データの送信が実行される。これにより、あるユーザが多機能通信装置から離れた場所で子機を用いて音声通話を行っている期間中に、別のユーザが多機能通信装置を操作して音声通話先の相手とは異なるデータ送信先の相手に送信データを送信しようとする場合においても、別のユーザが意図しない相手先（音声通話先）に送信データが送信されてしまう、という事態が発生することを防止できる。
【０００７】
請求項２記載の通信装置によれば、音声通話先とデータ送信先とが関連しないと判断される場合には、子機での通話終了後に、送信データがデータ送信先へ再送信される。よって、あるユーザが多機能通信装置から離れた場所で子機を用いて音声通話を行っている期間中に、別のユーザが多機能通信装置を操作して音声通話先の相手とは異なるデータ送信先の相手に送信データを送信しようとする場合においても、別のユーザが意図する相手先に送信データを送信することが可能であり、音声通話の終了まで待つ必要がないため、ユーザの利便性を高めることができる。
【０００８】
請求項３記載の通信装置によれば、相手先情報および特定情報として電話番号が使用される。そして、電話番号は、音声通話時やデータ送信時には必ず使用される情報であるため、特定情報としての専用の情報を用意する必要がなく、ユーザの利便性を高めることができる。
【０００９】
請求項４記載の通信装置によれば、相手先情報および特定情報として、複数の子機の各々に割り当てられた子機識別情報が使用される。これによっても、子機の音声通話先と送信データのデータ送信先とが一致するか否かを判断することができるため、ユーザが意図しない相手先に送信データが送信されてしまう、という事態が発生することを防止できる。
【００１０】
請求項５記載の通信装置によれば、被呼時においても相手先情報（発信元電話番号）を取得することが可能となる。よって、被呼によって音声通話が開始され通話中の場合においても、子機の音声通話先と送信データのデータ送信先とが一致するか否かを判断することが可能となる。
【００１１】
請求項６記載の通信装置によれば、データ蓄積手段によって、送信データおよび特定情報が回線制御装置に予め蓄積される。また、回線制御装置の抽出手段によって、蓄積された送信データのうちから音声通話先と関連する送信データが抽出される。そして、リスト送信手段により、抽出された送信データに関する送信データリストが作成され、子機に送信される。子機では、送信データリストのうちの何れの送信データを送信するかの選択を受け付け、選択された送信データについてのデータ送信命令を回線制御装置へ送信する。これにより、子機に表示される送信データリストを用いて、回線制御装置に蓄積された複数の送信データのうちから送信するデータを選択する際に、特定情報の照合により、音声通話先に関連する送信データのみを抽出した送信データリストを子機に表示することが可能となる。よって、子機からデータ送信命令を行う際に、誤送信を防止することが可能となる。
【００１２】
請求項７記載の通信装置によれば、子機で音声通話が行われている期間中に、子機から回線制御装置へリスト送信命令が送信されることに応じて、回線制御装置の抽出手段によって、蓄積された送信データのうちから音声通話先と関連する送信データが抽出される。これにより、音声通話先に関連する送信データのみを抽出した送信データリストを子機に表示することが可能となる。
【００１３】
請求項８記載の通信装置によれば、相手先情報および特定情報として電話番号が使用される。そして、電話番号は、音声通話時やデータ送信時には必ず使用される情報であるため、特定情報としての専用の情報を用意する必要がなく、ユーザの利便性を高めることができる。
【図面の簡単な説明】
【００１４】
【図１】分散構成多機能周辺装置１のブロック図である。
【図２】第１実施形態に係るＭＦＰ１０での操作フロー図である。
【図３】第１実施形態に係るＢＯＸ３１での動作フロー図である。
【図４】第１実施形態に係る分散構成多機能周辺装置１の動作を示すシーケンス図である。
【図５】第２実施形態に係るＭＦＰ１０での操作フロー図である。
【図６】第２実施形態に係るＢＯＸ３１での動作フロー図である。
【図７】第２実施形態に係る子機６０での動作フロー図である。
【図８】第２実施形態に係る分散構成多機能周辺装置１の動作を示すシーケンス図である。
【図９】リストの表示例を示す図である。
【発明を実施するための形態】
【００１５】
図１に、本願に係る第１実施形態として例示される分散構成多機能周辺装置１のブロック図を示す。分散構成多機能周辺装置１は、多機能周辺装置（以下「ＭＦＰ」と称す）１０と、回線制御装置（以下「ＢＯＸ」と称す）３１とを備える。ＢＯＸ３１は、電話回線網１００を使用した通信の制御を行う通信装置である。ＭＦＰ１０は、プリンタ機能、スキャナ機能、コピー機能、ファクシミリ機能などを備える。また、ＭＦＰ１０とＢＯＸ３１とは、アドホックモードの無線ＬＡＮ接続方式により、直接に無線通信２０２を行うことが可能とされる。
【００１６】
ＭＦＰ１０の構成について説明する。ＭＦＰ１０は、ＣＰＵ１１、ＲＯＭ１２、ＲＡＭ１３、ＥＥＰＲＯＭ１４、無線ＬＡＮ送受信部１５、無線ＬＡＮアンテナ部１６、ボタン入力部１７、パネル１８、プリンタ１９、スキャナ２０、を主に備えている。これらの構成要素は、入出力ポート２２を介して互いに通信可能に接続されている。
【００１７】
ＣＰＵ１１は、ＲＯＭ１２等に記憶されるプログラムや、無線ＬＡＮ送受信部１５を介して送受信される各種信号などに従って、各機能の制御を行う。ＲＯＭ１２は、ＭＦＰ１０で実行される制御プログラムなどを格納した書換不能なメモリであり、後述する無線ＬＡＮ簡単設定処理などを実行する各プログラムが格納されている。ＲＡＭ１３は、書換可能な揮発性のメモリである。ＥＥＰＲＯＭ１４は、書換可能な不揮発性のメモリである。ＥＥＰＲＯＭ１４には、後述する特定情報などが格納される。
【００１８】
無線ＬＡＮ送受信部１５は、無線ＬＡＮアンテナ部１６を介して、アドホックモードの無線通信２０２を行う。そして、無線ＬＡＮ送受信部１５により、各種のデータを構成するデジタル信号が送受信される。ボタン入力部１７は、ＭＦＰ１０の各機能を実行するためのキーである。パネル１８は、ＭＦＰ１０の各種機能情報を表示する。プリンタ１９は、印刷を実行する部位である。スキャナ２０は、読み取りを実行する部位である。
【００１９】
ＢＯＸ３１の構成について説明する。ＢＯＸ３１は、ＣＰＵ３２、ＲＯＭ３３、ＲＡＭ３４、ＥＥＰＲＯＭ３５、無線ＬＡＮ送受信部３６、無線ＬＡＮアンテナ部３７、操作キー３８、パネル３９、モデム４０、電話回線接続部４１、ＤＣＬ送受信部４５、ＤＣＬアンテナ部４６を主に備えている。
【００２０】
モデム４０は、ファクシミリ機能によって送信する原稿データを、電話回線網１００に伝送可能な信号に変調して電話回線接続部４１を介して送信したり、電話回線網１００から電話回線接続部４１を介して入力された信号を受信し、原稿データへ復調するものである。
【００２１】
無線ＬＡＮ送受信部３６は、無線ＬＡＮアンテナ部３７を介して、アドホックモードの無線通信２０２を行う。そして、無線ＬＡＮ送受信部３６により、各種のデータを構成するデジタル信号が送受信される。また、ＤＣＬ送受信部４５は、ＤＣＬアンテナ部４６を介して、子機６０と無線通信２０３を行う。そして、ＤＣＬ送受信部４５により、音声通話信号が送受信される。なお、ＢＯＸ３１のその他の構成は、上述したＭＦＰ１０の構成と同様であるため、ここでは詳細な説明は省略する。
【００２２】
子機６０の構成について説明する。子機６０は、ＣＰＵ６２、ＲＯＭ６３、ボタン入力部６８、パネル６９、ＤＣＬ送受信部６５、ＤＣＬアンテナ部６６、入出力ポート６４、を主に備えている。なお、子機６０のその他の構成は、上述したＭＦＰ１０およびＢＯＸ３１の構成と同様であるため、ここでは詳細な説明は省略する。また子機６０は、子機の各々を一意に識別するための情報である子機ＩＤが割り当てられている。子機ＩＤはＲＯＭ６３に記憶される。子機ＩＤを用いることにより、子機６０が複数備えられる場合においても、各々の子機を区別することが可能となる。
【００２３】
分散構成多機能周辺装置１について説明する。分散構成多機能周辺装置１は、ＢＯＸ３１およびＭＦＰ１０を備えることによって、物理的に分離した構成とされる。これにより、電話回線網１００のコネクタ部にＭＦＰ１０を直接に接続する必要がないため、ＭＦＰ１０のレイアウト性を高めることができ、ユーザの利便性を高めることができる。
【００２４】
また例えば、分散構成多機能周辺装置１でファクシミリ機能を実行する場合には、ＭＦＰ１０のスキャナ２０で生成されたデータが、ＢＯＸ３１を介して電話回線網１００へ送信される。また、ＢＯＸ３１が電話回線網１００から受信したデータが、ＭＦＰ１０で受信され、プリンタ１９で印刷される。
【００２５】
第１実施形態に係る分散構成多機能周辺装置１の動作の具体例を、図２および図３のフローを用いて説明する。第１実施形態は、子機６０で通話中に、ＭＦＰ１０を操作してデータ送信を行う際に、音声通話先とデータ送信先とが一致する場合に送信を許可する形態である。
【００２６】
図２を用いて、ＭＦＰ１０での操作フローを説明する。ユーザによって、ＦＡＸ送信の原稿がスキャナ２０の原稿台にセットされる。ユーザが、ボタン入力部１７を操作して、ＦＡＸ電話番号および送信開始命令を入力する。Ｓ１１において、ＣＰＵ１１は、ＦＡＸ電話番号およびＦＡＸ送信命令の入力を受け付ける。
【００２７】
Ｓ１３において、ＣＰＵ１１は、スキャナ２０を動作させ、送信データを生成する。Ｓ１５において、ＣＰＵ１１は、送信データ、ＦＡＸ電話番号、ジョブＩＤをＢＯＸ３１へ無線通信２０２を用いて送信する。ここでジョブＩＤは、ＦＡＸ送信などのジョブが入力される度にジョブごとに自動的に割り当てられる情報であり、ジョブを一意に識別するための情報である。
【００２８】
Ｓ１６において、ＣＰＵ１１は、ＢＯＸ３１から入力指示を受信したか否かを判断する。受信していない場合（Ｓ１６：ＮＯ）にはＳ１６へ戻り待機し、受信した場合（Ｓ１６：ＹＥＳ）にはＳ１７へ進む。Ｓ１７において、ＣＰＵ１１は、入力指示の内容を判断する。入力指示の内容が「再入力不要」の場合には、ＭＦＰ１０での操作フローを終了する。一方、入力指示の内容が「再入力要」の場合には、Ｓ１９へ進む。
【００２９】
Ｓ１９において、ＣＰＵ１１は、ＦＡＸ電話番号およびＦＡＸ送信命令のユーザによる入力を、再度受け付ける。Ｓ２１において、ＣＰＵ１１は、ＦＡＸ電話番号をＢＯＸ３１へ再送信する。そしてＭＦＰ１０での操作フローを終了する。
【００３０】
図３を用いて、ＢＯＸ３１での動作フローを説明する。図３のフローでは、電話回線網１００からの着信により子機６０で通話が開始される場合を説明する。また、子機６０での通話中に、ＭＦＰ１０から送信データを受信する場合を説明する。Ｓ２５において、ＣＰＵ３２は、電話回線網１００からナンバーディスプレイ情報を受信し、発信元である通話先電話番号を取得する。そして無線通信２０３により、子機６０へ呼出音鳴動指示を送信する。
【００３１】
Ｓ２７において、ＣＰＵ３２は、子機６０から外線接続指示を受信したか否かを判断する。外線接続指示は、例えば、ユーザが子機６０に備えられる通話開始ボタンを押下することで、子機６０からＢＯＸ３１へ送信される。外線接続指示を受信していないと判断される場合（Ｓ２７：ＮＯ）には、Ｓ２７へ戻り、外線接続指示を受信するまで待機する。一方、外線接続指示を受信していると判断される場合（Ｓ２７：ＹＥＳ）には、外線接続指示を送信してきた子機６０の子機ＩＤをＲＡＭ３４に記憶した上で、Ｓ２９へ進む。
【００３２】
Ｓ２９において、ＣＰＵ３２は、子機６０を外線接続状態にすることで、子機６０を用いて通話が可能とされる。このとき、子機６０の音声通話先を特定する通話先電話番号が、ＲＡＭ３４に記憶される。
【００３３】
Ｓ３１において、ＣＰＵ３２は、子機６０で音声通話が行われている期間中に、ＭＦＰ１０から送信データおよびＦＡＸ電話番号を受信したか否かを判断する。受信していないと判断される場合（Ｓ３１：ＮＯ）にはＳ３１へ戻り待機し、受信したと判断される場合（Ｓ３１：ＹＥＳ）にはＳ３３へ進む。
【００３４】
Ｓ３３において、ＣＰＵ３２は、音声通話先とデータ送信先とが一致するか否かを判断する。当該判断は、音声通話先を特定する通話先電話番号と、データ送信先を特定するＦＡＸ電話番号とが一致するか否かを判断することで行われる。
【００３５】
Ｓ３４において、ＣＰＵ３２は、通話先電話番号とＦＡＸ電話番号とが一致する場合には、音声通話先に送信データを送信すると判断し（Ｓ３４：ＹＥＳ）、Ｓ３６に進む。Ｓ３６において、ＣＰＵ３２は、「再入力不要」の入力指示をＭＦＰ１０へ送信する。そしてＳ４５へ進む。一方、通話先電話番号とＦＡＸ電話番号とが一致しない場合には、音声通話先に送信データを送信しないと判断され（Ｓ３４：ＮＯ）、Ｓ３７へ進む。
【００３６】
Ｓ３７において、ＣＰＵ３２は、通話先電話番号とＦＡＸ電話番号とが類似するか否かを判断する。類似の判断は、例えば両電話番号で数字が異なる部分の数をカウントし、カウント値が予め定められる許容値以下の場合には、両電話番号が類似すると判断されるとしてもよい。両電話番号が類似しないと判断される場合には、Ｓ３８へ進み、「再入力不要」の入力指示がＭＦＰ１０へ送信され、Ｓ４９へ進む。一方、両電話番号が類似すると判断される場合には、Ｓ３９へ進み、「再入力要」の入力指示がＭＦＰ１０へ送信され、Ｓ４１へ進む。
【００３７】
Ｓ４１において、ＣＰＵ３２は、再入力されたＦＡＸ電話番号をＭＦＰ１０から受信したか否かを判断する。受信していないと判断される場合（Ｓ４１：ＮＯ）には、Ｓ４１へ戻り待機する。受信したと判断される場合（Ｓ４１：ＹＥＳ）には、Ｓ４３へ進む。
【００３８】
Ｓ４３において、ＣＰＵ３２は、通話先電話番号と再入力されたＦＡＸ電話番号とが一致するか否かを判断する。Ｓ４４において、ＣＰＵ３２は、通話先電話番号と再入力されたＦＡＸ電話番号とが一致しないと判断する場合には、再入力されたＦＡＸ電話番号で特定されるデータ送信先に送信データを送信すると判断し（Ｓ４４：ＮＯ）、Ｓ４９へ進む。一方、通話先電話番号と再入力されたＦＡＸ電話番号とが一致すると判断する場合には、通話先電話番号で特定される音声通話先に送信データを送信すると判断し（Ｓ４４：ＹＥＳ）、Ｓ４５に進む。
【００３９】
Ｓ４５において、ＣＰＵ３２は、音声通話先に送信データを送信することで、ＦＡＸ送信が実行される。ＦＡＸ送信が完了すると、Ｓ４７において電話回線網１００との接続が切断される。そしてＢＯＸ３１での動作フローが終了される。
【００４０】
また、音声通話先とデータ送信先とが一致しないと判断され、Ｓ４９に進んだ場合には、ＣＰＵ３２は、Ｓ３１で受信した送信データおよびＦＡＸ電話番号を発呼待ちジョブに登録する。発呼待ちジョブは、電話回線網１００が他のジョブによって占有中であるため実行不可とされているジョブである。そして、他のジョブが終了次第、発呼待ちジョブによって電話回線網１００が占有され、ジョブが実行される。
【００４１】
Ｓ５１において、ＣＰＵ３２は、子機６０の回線切断を検出したか否かを判断する。回線切断が検出されない場合（Ｓ５１：ＮＯ）には、子機６０による音声通話中であると判断され、Ｓ５１へ戻り待機状態とされる。一方、回線切断が検出された場合（Ｓ５１：ＹＥＳ）には、子機６０による音声通話が終了したと判断され、Ｓ４５へ進む。Ｓ４５において、発呼待ちジョブが実行され、データ送信先に対して送信データが送信される。
【００４２】
このように、Ｓ４９およびＳ５１の処理によって、あるユーザがＭＦＰ１０から離れた場所で子機６０を用いて音声通話を行っている期間中に、別のユーザがＭＦＰ１０を操作して音声通話先の相手とは異なるデータ送信先の相手に送信データを送信しようとする場合においても、別のユーザが意図する相手先に送信データを送信することが可能となる。よって、ユーザの利便性を高めることができる。
【００４３】
第１実施形態に係る分散構成多機能周辺装置１の動作の具体例を、図４のシーケンス図を用いて説明する。例として、通話先電話番号とＦＡＸ電話番号とが一致する場合を説明する。
【００４４】
まず、被呼時において、外線接続状態とされるまでの動作を説明する。電話回線網１００から着信すると、発信元である通話先電話番号が取得されると共に、子機６０が鳴動する（Ｓ２５）。ユーザが子機６０のボタン入力部６８の外線通話開始ボタンを押下することに応じて、外線接続指示が子機６０からＢＯＸ３１へ送信される（Ｓ４０１）。ＢＯＸ３１で外線接続指示が受信され（Ｓ２７：ＹＥＳ）、外線接続状態とされる（Ｓ２９）。また、通話先電話番号が、ＢＯＸ３１のＲＡＭ３４に記憶される。
【００４５】
次に、発呼時において、外線接続状態とされるまでの動作を説明する。ユーザが子機６０のボタン入力部６８を操作して、通話先電話番号および通話開始命令を入力すると（Ｓ４０３）、通話先電話番号および外線接続指示が子機６０からＢＯＸ３１へ送信される（Ｓ４０５）。ＢＯＸ３１で外線接続指示が受信され（Ｓ２７：ＹＥＳ）、通話先電話番号へ発呼することで、外線接続状態とされる（Ｓ２９）。また、通話先電話番号が、ＢＯＸ３１のＲＡＭ３４に記憶される。
【００４６】
また、外線接続状態とされ子機６０で通話中に、ＭＦＰ１０からＢＯＸ３１へ送信データが送信された場合の動作を説明する。ユーザによって、ＦＡＸ送信の原稿が、ＭＦＰ１０のスキャナ２０の原稿台にセットされる（Ｓ４１１）。ユーザが、ＭＦＰ１０のボタン入力部１７を操作して、ＦＡＸ電話番号および送信開始命令を入力すると、ＦＡＸ電話番号およびＦＡＸ送信命令の入力がＭＦＰ１０に受け付けられる（Ｓ１１）。スキャナ２０によって送信データが生成される（Ｓ１３）。そして、送信データ、ＦＡＸ電話番号、ジョブＩＤが、無線通信２０２を用いてＭＦＰ１０からＢＯＸ３１へ送信される（Ｓ１５）。
【００４７】
ＢＯＸ３１は、ＭＦＰ１０から送信データ、ＦＡＸ電話番号およびジョブＩＤを受信し（Ｓ３１：ＹＥＳ）、通話先電話番号とＦＡＸ電話番号とが一致するか否かを判断する（Ｓ３３）。第１実施形態の説明例では、通話先電話番号とＦＡＸ電話番号とが一致すると判断され、音声通話先に送信データを送信すると判断される（Ｓ３４：ＹＥＳ）。ＢＯＸ３１は、「再入力不要」の入力指示をＭＦＰ１０へ送信する（Ｓ３６）。ＣＰＵ３２は、音声通話先に送信データを送信することで、ＦＡＸ送信が実行される（Ｓ４５）。ＦＡＸ送信が完了すると、電話回線網１００との接続が切断される（Ｓ４７）。そして分散構成多機能周辺装置１での動作が終了される。
【００４８】
以上説明したように、第１実施形態の説明例に係る分散構成多機能周辺装置１によれば、子機６０の音声通話中に、ＭＦＰ１０から送信される送信データおよびＦＡＸ電話番号がＢＯＸ３１で受信されると、ＦＡＸ電話番号に基づいて、子機の音声通話先と送信データのデータ送信先とが一致するか否かが判断される。そして、音声通話先とデータ送信先とが一致すると判断されると、送信データの送信が実行される。これにより、あるユーザがＭＦＰ１０から離れた場所で子機６０を用いて音声通話を行っている期間中に、別のユーザがＭＦＰ１０を操作して音声通話先の相手とは異なるデータ送信先の相手に送信データを送信しようとする場合においても、別のユーザが意図しない相手先（音声通話先）に送信データが送信されてしまう、という事態が発生することを防止できる。
【００４９】
また分散構成多機能周辺装置１では、音声通話先を特定する情報（通話先電話番号）およびデータ送信先を特定する情報（ＦＡＸ電話番号）として、電話番号が使用される。そして、電話番号は、音声通話時やデータ送信時には必ず使用される情報であるため、特定情報としての専用の情報を用意する必要がない。よって、ユーザが入力する必要がある情報を最低限の情報量にすることができるため、ユーザの利便性を高めることができる。
【００５０】
第２実施形態に係る分散構成多機能周辺装置１の動作の具体例を、図５ないし図７のフローを用いて説明する。第２実施形態では、送信データを予めＢＯＸ３１に記憶させておき、子機６０での通話中に子機６０の操作によりデータ送信を可能とする形態である。
【００５１】
図５を用いて、ＭＦＰ１０での操作フローを説明する。図５のフローは、ユーザが予めＭＦＰ１０のスキャナ２０を用いて送信データを作成し、作成した送信データをＢＯＸ３１に記憶させておくフローである。Ｓ１１１において、ＣＰＵ１１は、ＦＡＸ電話番号およびデータ蓄積命令の入力を受け付ける。データ蓄積命令は、ＢＯＸ３１に送信データを蓄積する旨の命令であり、ユーザによってＭＦＰ１０のボタン入力部１７を操作することで入力される。
【００５２】
Ｓ１１３において、ＣＰＵ１１は、付加情報の入力を行うか否かの入力を受け付ける。付加情報は、送信データをより細かく識別するための情報である。付加情報の例としては、タイトルや子機ＩＤなどが挙げられる。タイトルは、送信データに付される情報であり、ユーザによって任意に作成される。なお、付加情報として、ユーザＩＤやパスワードなどを使用してもよいことは言うまでもない。
【００５３】
付加情報の入力を行う旨がユーザによって選択された場合（Ｓ１１３：ＹＥＳ）には、Ｓ１１７に進み、ＣＰＵ１１は、ユーザによる付加情報の入力を受け付ける。一方、付加情報の入力を行わない旨がユーザによって選択された場合（Ｓ１１３：ＮＯ）には、Ｓ１１５に進み、ＣＰＵ１１は、付加情報を自動で生成する。自動で生成される付加情報の例としては、スキャン時刻などが挙げられる。
【００５４】
Ｓ１１９において、ＣＰＵ１１は、スキャナ２０を動作させ、送信データを生成する。Ｓ１２１において、ＣＰＵ１１は、送信データ、ＦＡＸ電話番号、付加情報およびジョブＩＤを、無線通信２０２を用いてＢＯＸ３１へ送信する。そしてＭＦＰ１０での操作フローを終了する。
【００５５】
図６を用いて、ＢＯＸ３１での動作フローを説明する。Ｓ１２７において、ＢＯＸ３１は、ＭＦＰ１０から送信されてきた送信データ、ＦＡＸ電話番号、付加情報およびジョブＩＤを受信し、ＲＡＭ３４またはＥＥＰＲＯＭ３５に蓄積する。これにより、子機６０が通話を行っていない期間に、送信データ等をＭＦＰ１０で生成し、ＢＯＸ３１に送信して予め蓄積しておく動作が行われる。なおＳ１２７は、次ステップであるＳ１３１とは独立したステップである。
【００５６】
Ｓ１３１において、ＣＰＵ３２は、子機６０から発呼指示を受信したか否かを判断する。発呼指示を受信していない場合（Ｓ１３１：ＮＯ）には、Ｓ１３１へ戻り待機する。一方、発呼指示を受信した場合（Ｓ１３１：ＹＥＳ）には、Ｓ１３３に進み、ＣＰＵ３２は、相手先電話番号へ発呼動作を行う。
【００５７】
Ｓ１３５において、子機６０での通話が可能な状態とされる。また、子機６０の音声通話先を特定する通話先電話番号が、ＲＡＭ３４に記憶される。
【００５８】
Ｓ１３７において、ＣＰＵ３２は、通話回線の切断命令を子機６０から受信したか否かを判断する。切断命令を受信した場合（Ｓ１３７：ＹＥＳ）には、ＢＯＸ３１での動作フローが終了する。一方、切断命令を受信していない場合（Ｓ１３７：ＮＯ）には、子機６０で通話中であると判断され、Ｓ１３９へ進む。Ｓ１３９において、ＣＰＵ３２は、子機６０からリスト送信命令を受信したか否かを判断する。リスト送信命令を受信していない場合（Ｓ１３９：ＮＯ）にはＳ１３５へ戻り、リスト送信命令を受信している場合（Ｓ１３９：ＹＥＳ）にはＳ１４１へ進む。
【００５９】
Ｓ１４１において、ＣＰＵ３２は、予め蓄積されている送信データのうちから、データ送信先が子機６０の音声通話先と一致する送信データを抽出する。この抽出処理は、通話先電話番号と一致するＦＡＸ電話番号を有する送信データを抽出することで行われる。そしてＣＰＵ３２は、抽出した送信データの一覧であるリストを生成する。
【００６０】
Ｓ１４３において、ＣＰＵ３２は、子機６０へリストを送信する。Ｓ１４５において、ＣＰＵ３２は、子機６０からデータ送信指示を受信したか否かを判断する。データ送信指示を受信していない場合（Ｓ１４５：ＮＯ）にはＳ１４５へ戻り待機し、データ送信指示を受信した場合（Ｓ１４５：ＹＥＳ）にはＳ１４７へ進む。
【００６１】
Ｓ１４７において、選択された送信データが有するデータ送信先に送信データを送信することで、ＦＡＸ送信が実行される。ＦＡＸ送信が完了すると、Ｓ１４９において電話回線網１００との接続が切断される。そしてＢＯＸ３１での動作フローが終了される。
【００６２】
図７を用いて、子機６０での動作フローを説明する。Ｓ１６１において、ＣＰＵ６２は、ユーザによる通話先電話番号の入力を受け付ける。Ｓ１６３において、ＣＰＵ６２は、ユーザによってボタン入力部６８の外線通話開始ボタンが押下され、発呼指示の入力が受け付けられることに応じて、発呼指示を無線通信２０３を介してＢＯＸ３１へ送信する。ＢＯＸ３１で外線接続指示が受信されることに応じて、Ｓ１６５に進み、外線接続状態とされ、子機６０で通話可能とされる。また、通話先電話番号がＢＯＸ３１のＲＡＭ３４に記憶される。
【００６３】
Ｓ１６７において、ユーザによってボタン入力部６８の送信キーが押下されることに応じて、リスト送信命令が子機６０からＢＯＸ３１へ送信される。Ｓ１６９において、ＣＰＵ６２は、ＢＯＸ３１から送信されてくるリストを受信する。Ｓ１７１において、ＣＰＵ６２は、受信したリストをパネル６９に表示する。よってパネル６９には、送信候補とされている送信データが複数表示される。
【００６４】
Ｓ１７３において、ＣＰＵ６２は、ユーザのボタン入力部６８の操作により、付加情報がユーザによって入力されたか否かを判断する。付加情報が入力された場合（Ｓ１７３：ＹＥＳ）には、Ｓ１７５へ進む。Ｓ１７５において、ＣＰＵ６２は、パネル６９に表示されている複数の送信データのうちから、入力された付加情報に関連する送信データのみを残すように表示する。すなわち、付加情報に基づき、送信候補とされている送信データを減らすことで絞込みをかけることができる。そしてＳ１７７へ進む。一方、付加情報が入力されない場合（Ｓ１７３：ＮＯ）には、Ｓ１７７へ進む。
【００６５】
Ｓ１７７において、ＣＰＵ６２は、ユーザによる送信データの選択と、データ送信指示の入力を受け付ける。データ送信指示の入力を受け付けると、ＣＰＵ６２は、選択された送信データを送信する旨のデータ送信指示を、ＢＯＸ３１へ送信する。そして子機６０での操作フローが終了される。
【００６６】
第２実施形態に係る分散構成多機能周辺装置１の動作の具体例を、図８のシーケンス図を用いて説明する。例として、通話先電話番号とＦＡＸ電話番号とが一致する場合を説明する。
【００６７】
まず、被呼時において、外線接続状態とされるまでの動作を説明する。電話回線網１００から着信すると、ナンバーディスプレイ情報の受信により発信元である通話先電話番号が取得されると共に、子機６０が鳴動する（Ｓ８０１）。ユーザが子機６０のボタン入力部６８の外線通話開始ボタンを押下することに応じて、外線接続指示が子機６０からＢＯＸ３１へ送信される（Ｓ８０３）。ＢＯＸ３１で外線接続指示が受信され、外線接続状態とされる（Ｓ８０５）。また、通話先電話番号が、ＢＯＸ３１のＲＡＭ３４に記憶される。
【００６８】
次に、発呼時において、外線接続状態とされるまでの動作を説明する。ユーザは、子機６０のボタン入力部６８を操作して、通話先電話番号を入力する（Ｓ１６１）。そして、ボタン入力部６８の外線通話開始ボタンを押下して通話開始命令を入力すると、通話先電話番号および外線接続指示が子機６０からＢＯＸ３１へ送信される（Ｓ１６３）。ＢＯＸ３１で外線接続指示が受信され（Ｓ１３１：ＹＥＳ）、通話先電話番号へ発呼することで（Ｓ１３３）、外線接続状態とされる（Ｓ１３５）。また、通話先電話番号が、ＢＯＸ３１のＲＡＭ３４に記憶される。
【００６９】
また、外線接続状態とされ子機６０で通話中に、子機６０からリスト送信命令を受信した場合の動作を説明する。外線接続状態とされ子機６０で通話中において（Ｓ１６５）、ユーザが子機６０のボタン入力部６８の送信キーを押下することに応じて、リスト送信命令が子機６０からＢＯＸ３１へ送信される（Ｓ１６７）。ＢＯＸ３１では、子機６０からリスト送信命令を受信し（Ｓ１３９：ＹＥＳ）、抽出処理を開始する（Ｓ１４１）。抽出処理では、予めＢＯＸ３１のＲＡＭ３４またはＥＥＰＲＯＭ３５に蓄積されている送信データのうちから、データ送信先が子機６０の音声通話先と一致する送信データが抽出される。そしてＣＰＵ３２は、抽出した送信データの一覧であるリストを生成する。ＢＯＸ３１は、子機６０へリストを送信する（Ｓ１４３）。
【００７０】
子機６０は、ＢＯＸ３１から送信されてくるリストを受信し（Ｓ１６９）、受信したリストをパネル６９に表示する（Ｓ１７１）。図９に、子機６０のパネル６９に表示されるリストの表示例を示す。図９は、３件の送信データが抽出されリストが生成された場合の例である。リストには、データ番号８１、タイトル８２、子機ＩＤ８３、相手先電話番号８４が含まれる。タイトル８２および子機ＩＤ８３は、送信データを蓄積する際に送信データに付加された付加情報である。なお、タイトル８２の表示内容がユーザによって作成されなかった場合には、自動的にスキャン時刻が表示内容とされる。
【００７１】
ユーザは子機６０のボタン入力部６８を操作することで、リストの中の３つの送信候補の送信データの内から、送信するデータを選択する。選択が完了し、ボタン入力部６８の送信キーが押下されると、選択された送信データを送信する旨のデータ送信指示が、ＢＯＸ３１へ送信される（Ｓ１７７）。ＢＯＸ３１において、子機６０からデータ送信指示を受信すると（ＳＳ１４５：ＹＥＳ）、選択された送信データをデータ送信先に送信することでＦＡＸ送信を実行する。（Ｓ１４７）。データ送信が完了すると、電話回線網１００との接続が切断される（Ｓ１４９）。そして分散構成多機能周辺装置１での動作が終了される。
【００７２】
以上説明したように、第２実施形態の説明例に係る分散構成多機能周辺装置１によれば、音声通話先と一致するデータ送信先を有する送信データのみを抽出したリストを、子機６０に表示することが可能となる。そして、子機６０に表示されるリストを用いて、ＢＯＸ３１に蓄積された複数の送信データのうちから送信する送信データを選択することができる。よって、子機６０からデータ送信命令を行う際に、誤送信を防止することが可能となる。
【００７３】
また、子機６０と相手先が通話中の期間において、ＭＦＰ１０からＢＯＸ３１へ無線通信２０２を用いて送信データを送信する場合には、子機６０によって無線通信２０３が行われているため、無線通信２０２と２０３とが干渉し、子機６０での音声通話に音途切れが発生する可能性がある。そこで第２実施形態の説明例に係る分散構成多機能周辺装置１によれば、子機６０が通話を行っていない期間に、予め送信データをＭＦＰ１０で生成し、ＢＯＸ３１に送信して蓄積しておく。これにより、子機６０が通話中の期間に、ＭＦＰ１０からＢＯＸ３１へ送信データを送信する必要を無くすことができる。よって、子機６０での音声通話に音途切れが発生することを防止することができる。
【００７４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７５】
本実施形態では、音声通話先とデータ送信先とが一致するか否かを判断する情報として、通話先電話番号およびＦＡＸ電話番号が用いられる場合を説明したが、この形態に限られない。例えば、ユーザが使用する子機が決まっている場合は、子機ＩＤを用いるとしてもよい。
【００７６】
第１実施形態では、ユーザがＭＦＰ１０にＦＡＸ電話番号および送信開始命令を入力する際に、子機ＩＤも入力する。そしてＢＯＸ３１は、音声通話中の子機６０の子機ＩＤと、ＭＦＰ１０で入力された子機ＩＤとが一致する場合には、音声通話先とデータ送信先とが一致すると判断し、音声通話先に送信データを送信する。これによっても、子機の音声通話先と送信データのデータ送信先とが一致するか否かを判断することができるため、ユーザが意図しない相手先に送信データが送信されてしまう、という事態が発生することを防止できる。
【００７７】
また第２実施形態では、ユーザがＢＯＸ３１に送信データを蓄積する際に、子機ＩＤを送信データに付加する。そしてＢＯＸ３１は、付加されている子機ＩＤが音声通話中の子機６０の子機ＩＤと一致する送信データを抽出する。これによっても、音声通話中の子機６０の子機ＩＤと一致する子機ＩＤを有する送信データのみを抽出したリストを作成し、子機６０に表示することが可能となる。
【００７８】
また、音声通話先とデータ送信先とが一致するか否かを判断する情報として、送信予定日時を使用するとしてもよい。この場合、送信予定日時は、ある特定の日時でもよいし、任意の期間でもよい。
【００７９】
また第２実施形態では、子機６０からリスト送信命令を受信することに応じて、ＢＯＸ３１から子機６０へリストが送信される形態を説明したが、この形態に限られない。子機６０からリスト送信命令を受信するか否かに関わらず、ＢＯＸ３１でリストを作成し、子機６０へリストを送信するとしてもよい。また、相手先電話番号が予め分かっている送信データがＢＯＸ３１に蓄積されている場合には、リスト送信命令によるリスト受信を子機６０で行わずに、子機６０からのデータ送信指示によりＦＡＸ送信を実行する構成であってもよい。
【００８０】
また、通話先電話番号とＦＡＸ電話番号とが一致するか否かを判断する場合に、両電話番号の全部が一致する場合のみならず、例えば、市外局番などの一部が一致する場合に一致判定を行っても良いことは言うまでもない。
【００８１】
また第２実施形態では、ＢＯＸ３１において、自動で音声通話先とデータ送信先とを照合する場合を説明したが、この形態に限られない。子機６０から手動で照合するとしてもよい。
【００８２】
なお、ＭＦＰ１０は多機能通信装置の一例、電話回線網１００は外部の通信網の一例、ＢＯＸ３１は通信装置および回線制御装置の一例、相手先電話番号は相手先情報の一例、ＦＡＸ電話番号は特定情報の一例、子機ＩＤは子機識別情報の一例、リストは送信データリストの一例、である。
【００８３】
また、Ｓ２９、Ｓ１３５を実行する制御部は相手先情報記憶手段の一例である。Ｓ３１、Ｓ３３、Ｓ１４１を実行する制御部は判断手段の一例である。Ｓ４５、Ｓ１４７を実行する制御部は第１データ送信手段の一例である。Ｓ４９を実行する制御部はデータ保持手段および第２データ送信手段の一例である。Ｓ２７を実行する制御部は子機識別情報記憶手段の一例である。Ｓ２５を実行する制御部は電話番号取得手段の一例である。Ｓ１２７を実行する制御部はデータ蓄積手段の一例である。Ｓ１４１を実行する制御部は抽出手段の一例である。Ｓ１４３を実行する制御部はリスト送信手段の一例である。Ｓ１７１を実行する制御部は表示手段の一例である。Ｓ１７７を実行する制御部はデータ送信命令送信手段の一例である。Ｓ１６７を実行する制御部はリスト送信命令送信手段の一例である。
【符号の説明】
【００８４】
１  分散構成多機能周辺装置
１０  ＭＦＰ
１１、３２、６２  ＣＰＵ
３１  ＢＯＸ
６０  子機
１００  電話回線網
２０２、２０３  無線通信
【図１】
2011077642.tif 000003
【図２】
2011077642.tif 000004
【図３】
2011077642.tif 000005
【図４】
2011077642.tif 000006
【図５】
2011077642.tif 000007
【図６】
2011077642.tif 000008
【図７】
2011077642.tif 000009
【図８】
2011077642.tif 000010
【図９】
2011077642.tif 000011